(57)【特許請求の範囲】
【請求項１】
インテリジェントリモートセンサ対応機器であって、
モバイル装置およびサイトに配置された環境コーディネータと通信するように構成された無線通信装置と、
前記サイトに配置されたネットワーク接続装置であり、前記インテリジェントリモートセンサ対応機器によってアクセス可能であり、かつ、管理可能である、ネットワーク接続装置と、
前記サイトに配置された前記ネットワーク接続装置の動作条件の手動選択を可能にするように構成された動作条件セレクタと、
プロセッサであり、
前記ネットワーク接続装置の設定の始動を可能にするために、前記動作条件セレクタの選択を処理し、
前記モバイル装置の前記無線通信装置に対する接続を検知し、かつ、
前記ネットワーク接続装置の前記動作条件を変更するために、前記環境コーディネータに対して設定情報の通信を始動する、
ように構成されたプロセッサと、
前記プロセッサによって使用可能な前記設定情報を記憶するように構成されたメモリと、
前記サイトでの環境の少なくとも１つの動作条件を検知するように構成されたセンサモジュールと、
近距離無線通信（ＮＦＣ）装置であり、
前記モバイル装置が前記ＮＦＣ装置の近くに配置されているときに、前記モバイル装置を接続するために、前記モバイル装置に対して認証データを出力し、
別のネットワーク接続装置が前記ＮＦＣ装置の近くに配置されている際に、該別のネットワーク接続装置を前記サイトに配置されるよう追加し、該別のネットワーク接続装置は、前記インテリジェントリモートセンサ対応機器によってアクセス可能であり、かつ、管理可能であり、
前記サイトでの前記環境の少なくとも1つの状態情報を含むセンサに基づく情報を出力する、
ように構成されたＮＦＣ装置と、
を備える、機器。
【請求項２】
温度の検知、湿度の検知、可用なネットワークの検知、接続装置の検知、電力管理の検知、近接の検知、ネットワーク装置の検知、距離の検知、動きの検知、音声の検知、光の検知、および気流の検知のうち、少なくとも１つ以上を提供するように構成されたセンサモジュールをさらに備える、請求項１に記載の機器。
【請求項３】
前記ネットワーク接続装置は、前記環境コーディネータを含む、請求項１に記
載の機器。
【請求項４】
ユーザの有無に基づいて、前記無線通信装置の無線通信の信号強度及び周波数を弱めるように構成された近接検知モジュールをさらに備える、請求項１に記載の機器。
【請求項５】
近接度に基づく入力および時間間隔に基づいて、電池の寿命を保持するように構成された近接検知モジュールをさらに備える、請求項１に記載の機器。
【請求項６】
前記プロセッサは、活動状態でセンサに基づく情報を送信するBluetooth  ＬＥ装置と、ユーザが外出中または在宅中である場合、前記Bluetooth  ＬＥ装置の動作モードを変更することによって、消費電力の低減を始動するように構成された電力管理モジュールとのうち、１つ以上を使用するように構成されている、
請求項５に記載の機器。
【請求項７】
前記プロセッサは、さらに、iBeacon技術またはBluetooth  ＬＥ技術を用いて前記環境を調整するように構成されている、請求項１に記載の機器。
【請求項８】
モバイル装置に表示されるようにフォーマットされたセンサに基づく情報を送信するように構成された通信装置をさらに備える、請求項６に記載の機器。
【請求項９】
照明装置、温度装置、スピーカ装置、カメラ装置、ドアロック、および追加のネットワーク装置を含む１つ以上のネットワーク装置を有効化および無効化するためのタッチボタンをさらに備える、請求項１に記載の機器。
【請求項１０】
前記モバイル装置と共に使用され、前記無線通信装置に接続している前記モバイル装置に基づいて、前記ネットワーク接続装置の動作を変更するために、センサに基づくネットワーク装置の使用を有効化および無効化するように構成されたプロセッサをさらに備える、請求項１に記載の機器。
【発明の詳細な説明】
【技術分野】
【０００１】
関連出願の相互参照
本願は、２０１４年１月６日に出願された米国仮出願シリアル番号第６１／９２４０４８号および２０１５年１月６日に出願された実用新案出願シリアル番号第１４／５９０９１８号に基づく優先権の利益を主張し、その開示の全体が参照により本願に援用される。
【０００２】
開示の分野
本開示は、センサに基づくデータの自動使用に関し、より具体的には、ネットワーク装置およびリモートセンサ情報を用いて、環境を調整するためのシステム、装置および機器に関する。
【背景技術】
【０００３】
背景
従来、家庭内の品物を制御する装置は、ユーザの現在のニーズに応じて自動的に調整する性能が制限されている。例えば、廊下または他の場所に設置されたサーモスタットを使用して、住居全体の温度を制御する。しかしながら、廊下の温度は、寝室またはキッチンの温度と同様ではない可能性がある。このような従来のサーモスタットの場合、住宅の所有者は、所望の目標を達成するために、継続的に温度を調整しなければならない。家庭内の従来のサーモスタットまたは他の電力制御装置の他の制限は、所望の目標を達成するように同調して動作できないことである。従来の照明スイッチは、動作条件を変更するユーザの希望に基づいて自動的に変更する能力を有していない。さらに、従来の照明スイッチおよび他の装置は、家庭内の装置を実装および制御するために、広範囲にわたって高価な配線が必要となる。さらに、これらの装置は、プログラムすることができず、サービスプロバイダによって維持および更新されなければならない高価なプログラミングハードウェアおよびソフトウェアが必要である。当該技術分野において、住居内の複数の環境を部屋ごとに調整し、容易にプログラムすることができ且つコスト効率の良い自動化システムが必要である。
【発明の概要】
【課題を解決するための手段】
【０００４】
開示の概要
本開示の一局面によれば、リモートセンサ情報および動作条件を用いて、リモートリソースの使用を自動化するためのシステム、方法および装置が提供される。
【０００５】
本開示の一局面によれば、インテリジェントリモートセンサ対応機器が開示されている。この機器は、モバイル装置およびサイトに配置された環境コーディネータと通信するように構成された無線通信装置を含むことができる。さらに、この機器は、サイトにおいてネットワーク接続装置の動作条件の手動選択を可能にする動作条件セレクタを含む。また、この機器は、ネットワーク接続装置の設定の起動を可能にするために、動作条件セレクタの選択を処理し、モバイル装置と無線通信装置との接続を検知するように構成されたプロセッサを含む。このプロセッサは、さらに、ネットワーク接続装置の動作条件を変更するために、環境コーディネータに設定情報の通信を始動することができる。この機器は、さらに、プロセッサによって使用される設定情報を記憶するように構成されたメモリを含む。
【０００６】
本開示の別の局面によれば、システムが開示されている。このシステムは、センサに基づく情報をネットワーク装置およびモバイル装置に通信するように構成されたインテリジェントリモートセンサを含むことができる。このシステムは、さらに、サイトにおいてネットワーク装置の動作条件の調整を始動するために、インテリジェントリモートセンサと通信するように構成された環境コーディネータを含む。また、このシステムは、モバイル装置にデプロイされ、モバイル装置がサイトの特定の領域内に位置するときに、ネットワーク装置の動作条件を自動的に変更するように、インテリジェントリモートセンサと通信するように構成されたモバイルアプリケーションを含む。
【０００７】
本開示のさまざまな他の局面は、本明細書の要約、図面の説明および特許請求の範囲に提供される。
【０００８】
図示を簡単かつ明瞭にするために、図面に示された要素は、必ずしも一定の縮尺で描かれていないことが理解されるであろう。例えば、一部の要素の寸法は、他の要素に対して拡大されている。本開示の教示を組み込む実施形態は、本明細書に提示された図面に関連して示され、説明される。
【図面の簡単な説明】
【０００９】
【図１】本開示の一局面に従って、サイトの環境を調整するためのネットワークおよびシステムを示す図である。
【図２】本開示の一局面に従って、サイト内のインテリジェントリモートセンサを用いて、環境を調整するように構成されたシステムを示す図である。
【図３】本開示の一局面に従ったインテリジェントリモートセンサを示す斜視図である。
【図４】本開示の一局面に従ったインテリジェントリモートセンサ機器を示すブロック図である。
【発明を実施するための形態】
【００１０】
異なる図面にて、同一の参照符号は、同様または同一の部品を示す。
発明の詳細な説明
以下の説明は、図面と組み合わせて、本明細書に開示された教示に対する理解を支援するために提供される。以下の説明は、本教示の特定の実現例および実施形態に集点をあてる。この集点をあてた説明は、教示の説明を支援するために提供されており、教示の範囲または適用を限定するものとして解釈されるべきではない。しかしながら、他の教示は、本願に疑問なく利用されることができる。また、これらの教示は、他の用途およびいくつかの異なる種類のアーキテクチャ、例えば、分散型コンピューティングアーキテクチャ、クライアント／サーバアーキテクチャ、またはミドルウェアサーバアーキテクチャおよび関連要素と共に利用されることができる。
【００１１】
特に明記しない限り、相互通信する装置またはプログラムは、継続的に相互通信する必要がない。また、相互通信する装置またはプログラムは、１つ以上の媒介を介して、直接または間接的に通信してもよい。
【００１２】
以下に説明する実施形態は、ネットワーク要素間の通信交流のすべてまたは一部を管理する分散型コンピューティングソリューションの一部を記載する。この文脈では、通信交流は、情報を送信する意図、情報の送信、情報の要求、情報の受信、情報の要求の受信、またはそれらの任意の組み合わせであってもよい。したがって、通信交流は、単方向、双方向、多方向、またはそれらの任意の組み合わせで行われてもよい。場合によって、通信交流は、比較的複雑であり、２つ以上のネットワーク要素を必要とする可能性がある。例えば、通信交流は、クライアントとサーバとの間の「会話」または一連の関連通信であり、すなわち、各ネットワーク要素が互いに情報を送受信する。ネットワーク要素間の通信交流は、必ずしも１つの特定の形態に限定されない。ネットワーク要素は、ノード、ハードウェア、ソフトウェア、ファームウェア、ミドルウェア、コンピューティングシステムの別の要素、またはそれらの任意の組み合わせであってもよい。
【００１３】
本開示の目的のために、ネットワーク装置、環境コーディネータまたはインテリジェントリモートセンサは、さまざまな種類の装置、ソフトウェア、アプリケーション、方法、ドライバ、メディア、サービス、コントローラ、プラットフォーム、インターフェイスを含むことができ、さらに、環境管理システム、環境コントローラ、エネルギー管理システム、顧客関与ポータル、顧客関与プラットフォーム、エネルギー管理装置、ネットワーク装置、コントローラ、ホーム自動化コントローラ、エネルギーコントローラ、コントローラモジュール、サイトコントローラ、処理リソース、またはそれらの任意の組み合わせを含むことができ、さらには、任意形式の情報、インテリジェンス、もしくはビジネス、科学、制御、娯楽または他の目的のためのデータを計算、分類、処理、送信、受信、取得、発信、切換、記憶、表示、表明、検知、記録、再生、取扱、または利用するように動作可能な手段または手段の集合を含むことができる。
【００１４】
例えば、ネットワーク装置、環境コーディネータまたはセンサは、エネルギー管理システム、エネルギー管理装置、モバイル装置、モバイルアプリケーション、パーソナルコンピュータ、デスクトップアプリケーション、ウェブインターフェイス、ホストアプリケーション、ホストソフトウェア、ホストサービス、アプリケーションインタフェース、ＰＤＡ、家庭用電子機器、メディア装置、スマートフォン、携帯電話またはモバイル電話、スマート需給計器、先進の計量インフラストラクチャー、スマートエネルギー装置、エネルギー表示装置、ホーム自動化コントローラ、エネルギーハブ、スマートエネルギーゲートウェイ、セットトップボックス、デジタルメディア加入者システム、ケーブルモデム、ブロードバンド通信装置、光ファイバ対応通信装置、メディアゲートウェイ、ホームメディア管理システム、ロボット制御装置、Ｂｒｏｏｍｂａ（登録商標）のようなロボット制御掃除装置、メディアサーバ、ゲームコンソール、ネットワークサーバ、ネットワークストレージ装置、無線スピーカ、顧客関与プラットフォーム、顧客関与ポータル、小売りエネルギープロバイダサーバ、卸売りエネルギープロバイダサーバ、ＣＯＯＰエネルギープロバイダサーバ、小売り業務サーバ、商用サイトサーバ、産業用サイトサーバ、マルチ住宅サイトサーバ、一時宿泊施設サーバ、ホテルサーバ、モーテルサーバ、分譲アパートサーバ、廃棄物、水、電力またはそれらの組み合わせを含み得るユーティリティプロバイダサーバ、エネルギー変電所、ニュースメディアサーバ、天気サーバ、広告サーバまたはサービスプロバイダ、ネットワーク無線サーバまたはサービスプロバイダ、ネットワークメディアサーバまたはサービスプロバイダ、音楽サーバまたはサービスプロバイダ、検索エンジンサーバまたはサービスプロバイダ、情報サーバまたはサービスプロバイダ、無線情報ネットワーク装置、車両充電ステーション、再生可能なエネルギー生成装置、再生可能なエネルギー制御装置、エネルギー貯蔵管理システム、スマート製品、ＨＶＡＣシステム、ウォーターポンプ、熱ポンプ、給湯器、サーモスタット（ＴＳＴＡＴ）、エネルギーコントローラ、灌漑システム、照明システム、警報システム、スマート電源コンセント、エネルギー検知装置、ガレージドア開閉システムまたは装置、電力測定装置、電力測定ユニット、エアハンドラ、無線エアダンパ、湿度制御システム、熱および動き検知装置、スマート電源コンセント、切換ルータ、無線ルータ、自動車または輸送機器、電気自動車、ネットワーク通信装置、または任意の他の適切な装置またはシステムのうち、１つまたは任意の組み合わせを含むことができ、サイズ、形状、性能、機能および価格上で変動することができる。
【００１５】
一態様によれば、ネットワーク装置、環境コーディネータまたはセンサは、メモリ、処理リソース、もしくは、リソースの管理を可能にするためのマイクロコントローラまたは中央処理装置（ＣＰＵ）またはハードウェアまたはソフトウェア制御ロジックなどのコントローラの組み合わせのうち、いずれか１つを含むことができる。追加の要素は、１つ以上の記憶装置、１つ以上の無線通信装置または有線通信装置またはそれらの任意の組み合わせ、モジュールおよび外部のリソースと通信するためのポート、ならびに、さまざまな入出力（Ｉ／Ｏ）装置、タッチコントローラ、タッチスクリーンおよびディスプレイ装置を含むことができる。リソースは、さまざまなハードウェア要素の間に管理情報を通信するように動作可能な１つ以上のバスを含むことができ、および有線データ通信バス、無線ネットワーク通信またはそれらの任意の組み合わせを用いて通信することができる。例えば、リソースは、装置内部のデータバスを用いて通信をデプロイすることができ、ネットワーク、無線ネットワーク、無線エネルギーネットワーク、情報ネットワーク、無線環境ネットワーク、無線ホーム環境ネットワーク、またはリソース情報を通信可能な他の任意種類のネットワークの使用を含むことができる。
【００１６】
さらなる態様によれば、ネットワーク装置、環境コーディネータまたはセンサは、要素、装置またはモジュールの任意の組み合わせを用いて、情報を通信することができる。情報の通信は、サイト内の通信を管理および確立するために構成され得るさまざまな種類の無線通信、有線通信およびその変種、関連するプロトコルまたはその拡張を含む。通信は、ＩＰに基づく通信、広帯域通信、IEEE802.15に基づく無線通信、Zigbee（登録商標）通信、INSETEON通信、Ｘ１０通信プロトコル、Ｚ波通信、Bluetooth（登録商標）通信、Bluetooth低エネルギー（ＬＥ）通信、WIFI（登録商標）通信、IEEE802.11に基づく通信、９００ＭＨｚ〜２．５ＧＨｚ周波数範囲内の通信、赤外線通信、6LowPAN通信、電力線通信、ＲＦＩＤ通信、ＮＦＣ通信、IEEE802.16に基づく通信、赤外線に基づく通信、さまざまな専有無線通信、またはそれらの任意の組み合わせまたはその一部を含むがこれらに限定されない。
【００１７】
さらなる態様によれば、情報は、ネットワーク装置、環境コーディネータ、またはインテリジェントリモートセンサによって処理され、使用され得る情報、環境の管理に使用され得る情報またはそれらの任意の組み合わせを含むことができ、さまざまなソースから受信した情報を含むことができる。一態様によれば、情報は、顧客関与情報、メディア管理情報、メディア可用性情報、リソース管理情報、メディアデータ、エネルギーデータ、制御データ、コンテンツ、メディアコンテンツ、広告、動画、音楽、アニメ広告、エネルギー管理情報、プロファイル情報、ユーザ情報、装置情報、プロビジョニング情報、装置識別子、装置名称、モデル番号、シリアル番号、初回使用の日付および時間などの起動データ、ＩＰアドレス、サイトの座標、リソースの座標、装置ドライバ、および本明細書に記載されたさまざまな他の種類の情報を含むことができる。
【００１８】
本明細書に記載したように、フローチャート化した技術、方法またはアルゴリズムは、一連の連続動作で説明することができる。特に明記しない限り、動作の順序および動作を実行する当事者は、本教示の範囲から逸脱することなく、自由に変更することができる。いくつかの方法で、動作を追加、削除または変更することができる。同様に、動作の順序を再編成またはループ化することができる。また、プロセス、方法、アルゴリズム等を一定の順序で説明することができるが、これらのプロセス、方法、アルゴリズムまたはこれらの任意の組み合わせは、別の順序で実行可能である。さらに、プロセス、方法またはアルゴリズム内のいくつかの動作は、少なくともある時間点で同時に実行する（すなわち、動作が並列に実行する）ことができ、全体的にまた部分的にまたはそれらの任意の組み合わせで実行することできる。
【００１９】
「備える」、「備えている」、「含む」、「含んでいる」、「有する」、「有している」などの用語またはその他の変形は、本明細書に使用される場合、非排他的な包含を網羅することを意図している。例えば、一連の特徴を含むプロセス、方法、物品、システムまたは装置は、必ずしもこれらの特徴のみに限らず、明記されていない他の特徴またはこれらのプロセス、方法、物品、システムまたは装置に固有する他の特徴を含むことができる。また、特に明記しない限り、「または」という用語は、排他的ではなく包括的な意味を有する。例えば、条件ＡまたはＢを満たすことは、Ａが真であり（または存在する）、Ｂが偽である（または存在しない）こと、Ａが偽であり（または存在しない）、Ｂが真である（または存在する）こと、ＡおよびＢの両方が真である（または存在する）ことのいずれかを意味する。
【００２０】
また、「ａ」または「ａｎ」は、本明細書に記載の要素および成分を記載するために使用される。これらは、単に便宜上、本発明の範囲の一般的な意味を与えるために使用される。このような記載は、１つまたは少なくとも１つを含むように理解されるべきである。また、特に明記しない限り、単数形のものは、複数形のものを含み、またはその逆、複数形のものは、単数形のものを含む。例えば、単一の装置が本明細書に記載された場合、複数の装置を用いて、単一の装置を置換することができる。同様に、複数の装置が本明細書に記載された場合、単一の装置を用いて、複数の装置を置換することができる。
【００２１】
特に定義しない限り、本明細書に使用されたすべての技術的用語および科学的用語は、本発明が属する分野の当業者によって一般的理解される意味と同様の意味を有する。本明細書に記載の方法および材料と類似または同等のものを本発明の実施形態の実施または試験に用いることができるが、好適な方法および材料は、以下に記載される。特に明記しない限り、本明細書に言及されたすべての刊行物、特許出願、特許および他の参考文献は、その全体が参考として援用される。矛盾する場合、定義を含む本明細書は、優先する。また、材料、方法および実施例は、単なる例示であり、限定することを意図していない。
【００２２】
本明細書に記載されていないものに限り、特定の材料、処理動作および回路に関する多くの詳細は、従来のものであり、教科書およびコンピューティング、エレクトロニクスおよびソフトウェア分野の他のソースから見出すことができる。
【００２３】
図１は、本開示の一態様に従って、サイトの環境を調整するためのネットワークおよびシステムを示す図である。一般に１００で示されたシステムおよびネットワークは、ネットワーク装置のリモートセンサ１０４およびイベントコーディネータ１０６のうち、１つ以上と接続可能なモバイル装置１０２を含むことができる。モバイル装置１０２は、インターネット１１０を介して、サイト１１６内の装置と直接通信することができる。
【００２４】
一態様によれば、システムおよびネットワーク１００は、本明細書に記載されているように、ユーザまたはモバイル装置がサイトから離れているときに、環境およびネットワーク装置を自動的に調整し、サイト内の領域、部屋またはゾーンに自動制御を提供するように構成されている。システムおよびネットワーク１００は、マクロ近接始動環境およびマイクロ近接始動環境を提供するように構成されたため、簡単に使用でき、コスト効率が良いというユーザメリットをもたらす。
【００２５】
一態様によれば、モバイル装置１０２は、さまざまな種類のポータブル装置、例えば、iPhone（登録商標）装置、Android（登録商標）装置、Blackberry（登録商標）装置、Windows（登録商標）装置または他のモバイル装置を含むことができ、iPad（登録商標）、Kindle（登録商標）などのタブレット装置、ラップトップなどのポータブルコンピュータ、カメラ、無線通信機および無線スピーカなどのポータブル電子装置、または環境調整システムおよびネットワーク１００と共に使用することができるさまざまな他のポータブル装置を含むことができる。
【００２６】
一態様によれば、環境コーディネータ１０６との通信は、上述のように、ネットワーク装置、モバイル装置、センサおよびシステムを含むがこれらに限定されないさまざまな実施形態に存在することができ、本明細書に記載された通信の任意の組み合わせを使用することを含むことができる。例えば、モバイル装置１０２は、ローカルWIFIまたは802.11に基づく通信、Bluetooth通信、またはさまざまな他のローカル無線通信、またはこれらの任意の組み合わせを用いて、環境コーディネータ１０６と直接通信することができる。さらなる態様によれば、モバイル装置１０２は、申し込みに基づく無線データ通信ネットワーク、例えば、３Ｇネットワーク、４Ｇネットワーク、ＥＤＧＥネットワーク、セルラーネットワーク、他の無線データ通信、またはそれらの任意の組み合わせを用いて、モバイル環境内で通信することができる。
【００２７】
別の態様によれば、公共リソース１１２を提供することができる。公共リソース１１２は、一般に公に入手可能であるまたは最小限の労力でアクセスおよび利用することができるホストリソースを含むことができる。リソースは、ストレージリソース、ＰＵＢ−ＳＵＢ、ＸＭＰＰ、インスタントメッセージング（ＩＭ）、ＳＭＳメッセージングおよびＴＣＰ／ＩＰなどの通信インフラストラクチャリソース、他の特徴に加えてリソースのユニークアドレスをサポートするＩＰｖ４、ＩＰｖ６などインターネット通信インフラストラクチャおよびプロトコル、およびインターネット１１０を用いて情報の通信と組み合わせて使用することができるさまざまな他の種類の公共リソースを含むことができる。
【００２８】
他の態様によれば、リソース管理システム１００は、１つ以上のクラウドサービス１１０の使用を含むことができる。クラウドサービス１１０は、同一のプロバイダによってホストされることができ、または場合によって、クラウドサービス１１０は、複数のプロバイダによってホストされ、必要または所望に応じて、さまざまな組み合わせでアクセスすることができる。クラウドサービス１１０は、リソース情報を含むことができるソース、例えば、ストリーミング音楽ライブラリソース、ストリーミングラジオソース、ストリーミングビデオソース、ペイパービューメディアソース、有料音楽ソース、加入サービスソース、オンライン写真ソース、エネルギー管理ソース、顧客関与ソース、ユーティリティソース、サーモスタット管理ソース、ウェブサービスソース、ホームセキュリティソース、ウェブサイト、顧客関与ソース、節約助言ソース、ビデオソース、ソフトウェア更新ソース、ストリーミング音楽ライブラリソース、またはそれらの任意の組み合わせのうち１つまたはその組み合わせを含むことができるが、これらに限定されない。
【００２９】
さらなる態様によれば、環境コーディネータ１０６は、Pandora、Slackerラジオ、Spotify、TuneInラジオ、天気サービス、YouTube（登録商標）などの１つ以上のオンラインストリーミングメディアソースおよびクラウドサービス１１２の任意の組み合わせに対するアクセスを許可することができる。例えば、イベントコーディネータ１０４は、PandoraにホストされるＡＰＩにアクセスすることができる暗号化ロジックを含むことができ、ホーム内の１つ以上の無線スピーカリソースに音声をストリーミングするように管理することができる。このように、イベントコーディネータ１０６は、Pandoraと無線スピーカとの間のブリッジとして機能することができ、またはスピーカリソースとの直接通信を始動するための一時的なブリッジとして機能することができる。さらに、ユーザは、モバイル装置１０２から、またはPandoraホストサービスから音楽の選択を可能にする他のリソースから音楽を選択し、スピーカリソースに送信することができる。
【００３０】
さらなる態様によれば、モバイル装置１０２は、近接制御機能を含むことができる。例えば、近接制御は、さまざまな種類の位置特定サービスを使用してモバイル装置１０２の位置を検知すること、および、位置特定サービスを用いて決定することができる位置、距離、移動時間、移動速度およびさまざまな他のパラメータに基づいて、リソース情報を出力することを含むことができる。一態様によれば、モバイル装置１０２の位置を検知したときに、クラウドサービス１１０であり得る他のウェブサービスにアクセスすることができる。さらに、環境情報およびセンサに基づく情報は、モバイル機器１０２の位置に応じて通信されてもよい。
【００３１】
図２は、本開示の一局面に従って、サイト内のインテリジェントリモートセンサを用いて、環境を調整するように構成されたシステムを示す図である。サイト２００内に一般に示されたシステムを用いて、サイト２００の環境を調整することができる。サイト２００は、住宅サイトの一例であり、図２のシステムは、他のさまざまな種類のサイトに配置することができる。例えば、小規模ビジネス、製造施設、オフィス、ホテル／モーテル、マンション、アパート、または図２のシステムから恩恵を得ることができるさまざまな他のサイトを例として挙げることができる。また、サイト２００は単一のサイトとして示されているが、必要または所望に応じて、複数のサイトを管理することができることを理解すべきである。
【００３２】
一態様によれば、サイト２００は、キッチン２０２、リビングルーム２０４、ユーティリティルーム２０６、寝室２０８、および廊下２１０を含む。明示的に図示されていないが、ドア、窓、錠および他のさまざまな建材がサイト２００に使用されることができることを理解すべきである。また、各部屋は、サイト２００内でアクセスできるさまざまな他の種類のネットワーク装置を含む。例えば、キッチン２０２は、オーブン、照明、食器洗い機、冷蔵庫、および１つ以上の電源スイッチ（各々が明示的に図示されていない）を含むことができる。同様に、リビングルーム２０４は、テレビ、照明、カメラ、および１つ以上の電源スイッチ（各々が明示的に図示されていない）を含むことができる。ユーティリティルーム２０６は、カメラ、洗濯機、乾燥機、室内および室外の照明、および１つ以上の電源スイッチ（各々が明示的に図示されていない）を含むことができる。寝室２０８は、照明、日よけ、テレビ、ファン、スピーカ、および１つ以上の電源スイッチ（各々が明示的に図示されていない）を含むことができる。廊下２１０は、サーモスタット、カメラ、ドアベル、室内および室外の照明、および１つ以上の電源スイッチ（各々が明示的に図示されていない）を含むことができる。図２に示された各ネットワーク装置は、ユーザの所望に応じて、さまざまな方法、さまざまな構成、およびさまざまな組み合わせで設けることができる。
【００３３】
本開示の目的のために、ネットワーク装置は、例えば、サイト２００内のセンサ、リモートセンサ、コントローラ、環境コーディネータ、モバイル装置、モバイルアプリケーション、さまざまな他の装置またはそれらの組み合わせによってアクセスされ、制御されることができる。例えば、サイト２００の所有者またはユーザは、サイト２００の環境を変更、アクセスまたは制御するように構成されたオペレーティングシステム、モバイルアプリケーション、またはさまざまな他の装置通信機能を有するモバイル装置２２４を所持することができる。
【００３４】
さらなる態様によれば、サイト２００はまた、サイト２００の各部屋に分散されたセンサを含む。各センサは、各部屋に配置されてもよく、インテリジェントリモートセンサ（後述）として設けられてもよい。例えば、キッチン２０２は、第１のセンサ２１４を含むことができ、リビングルーム２０４は、第２のセンサ２１６を含むことができ、ユーティリティルーム２０６は、第３のセンサ２２０を含むことができ、寝室２０８は、第４のセンサ２１８を含むことができ、廊下２１０は、第５のセンサ２２２を含むことができる。１つ以上のセンサは、各室内に設けられたものとして示されているが、建物またはサイト２００の壁の内側または外側に配置されてもよい。
【００３５】
一態様によれば、サイト２００はまた、サイト２００の温度を調節するために廊下２１０に配置されたサーモスタット２１２を含む。さまざまな形式の通信をデプロイして、サーモスタット２１２に接続することができる。サーモスタット２１２は、環境コーディネータ能力（後述）を有するネットワーク装置の一例を示す。図２のシステムを説明する目的のために、サーモスタット２１２は、WIFI通信、Bluetooth BLE通信、Zigbee通信、およびＺ波通信を含むことができる。さまざまな他の形式の追加の無線および有線通信は、図２のシステムに使用されることができる。
【００３６】
一態様によれば、図２のシステムは、電池から電力を受けるインテリジェントリモートセンサを使用する。また、以下で説明するように、インテリジェントリモートセンサの各々は、必要に応じて、各部屋内に配置されたネットワーク装置、他のインテリジェントリモートセンサ、および部屋外部のネットワーク装置と無線通信することができる。例えば、センサ２２０は、ネットワーク装置として構成された、ユーティリティルーム２０６内部の装置の動作条件を変更するように構成されることができる。例えば、ユーティリティルーム２２０は、ネットワーク装置として使用可能なカメラおよびＬＥＤライトを含むことができる。したがって、センサ２２０は、無線カメラをオンまたはオフするように構成されることができ、さらに、照明スイッチを使用せず、ライトをオンまたはオフすることができる。例えば、ネットワーク装置として構成されたＬＥＤライトは、天井内に設置されてもよい。天井に設けられたライトハウジング内に配置されたライトをオンまたはオフする電力は、サイト２００の電源から直接供給される。したがって、センサ２２０は、壁に設けられた照明スイッチを使用せず、ＬＥＤライトをオンまたはオフにするように構成されることができ、サイト２００の天井または他の場所に設置された照明ライトと照明スイッチとの間に銅線を配置するための全体的なコストを削減する。このように、サイト２００にインテリジェントリモートセンサを設けることによって、銅材料全体の消費量の大幅な削減をさらに実現することができる。
【００３７】
他の態様において、各センサは、モバイル装置２２４との通信を介して、センサデータを環境コーディネータに提供することができる。例えば、センサは、サーモスタット２１２などの環境コーディネータと通信するように構成されたモバイル装置のモバイルアプリケーションを使用してセンサデータの通信の有無を検出することができる。例えば、モバイル装置は、Bluetooth LEを用いてセンサと通信することができる。モバイル装置は、Bluetooth LEを用いて情報を受信することができ、Wi-Fiなどの別のネットワークを用いて情報をサーモスタット２１２に通信することができる。
【００３８】
他の態様において、センサは、環境コーディネータ２１２と直接通信することができ、コーディネータ２１２は、部屋ごとに環境の調整を始動することができる。
【００３９】
他の態様によれば、サイト２００は、サイト２００の環境を調整することができるサーモスタット２１２を含むことができる。例えば、サーモスタット２１２は、Bluetooth LE、ZigbeeまたはＺ波などの低電力通信を用いて、サイト２００に設置された各センサと通信するように構成することができる。サーモスタット２１２は、センサから送信されたセンサに基づく情報を用いて環境を管理する環境コーディネータを含むことができる。センサに基づく情報は、例えば、Ｚ波対応ＬＥＤおよびZigbee対応スイッチの動作状態を含むことができる。さらに、インテリジェントリモートセンサは、Bluetooth LE通信を用いて、Ｚ波対応ＬＥＤおよびZigbee対応スイッチから受信したセンサに基づく情報をサーモスタット２１２に通信することができる。したがって、Bluetoothネットワークを介してサーモスタット２１２に送信することができるBluetooth LE通信に、マルチネットワーク通信を組み合わせることができる。
【００４０】
さらなる態様によれば、インテリジェントリモートセンサは、部屋の温度およびその部屋に人の有無を検知することができる。よって、サーモスタット２１２は、この検知情報を受信し、これに応じて処理を行うことができる。例えば、ユーザが部屋内に存在し、ＬＥＤライトが点灯している場合、室温などの付加的な情報が取得されることができる。ユーザは、サーモスタット２１２を使用して、インテリジェントリモートセンサによって検知された温度を用いて別の部屋の温度を管理するような好み環境設定を設定することができる。例えば、サーモスタットは、一般的に廊下２１２などの離れた場所に設置され、リビングルーム２０４などの居住空間から離れている。したがって、廊下から読み取られた温度は、一般的にサイト２００全体の温度を制御するように使用され、ユーザの有無または温度を変更する希望が考慮されない。リビングルーム２０４内のユーザの存在を検知するセンサ２１６を用いて、実際の室温を含む検知情報をサーモスタット２１２に通信することができ、サーモスタット２１２は、この温度検知情報を用いて、加熱条件および冷却条件を変更することができる。したがって、ユーザが一部屋から別の部屋に移動しても、室温が検知され、サーモスタット２１２に通信されることができる。このように、サーモスタット２１２は、ユーザのために、環境を調整することができる。
【００４１】
さらなる態様によれば、モバイル装置２２４を使用して、サイト２２４の環境調整を始動または維持することができる。例えば、モバイル装置２２４にロードされた一般設定およびアプリケーションを使用して、環境を部屋ごとにまたはサイトごとに調整することができる。このような調整設定は、モバイル装置２２４に記憶されてもよく、サイト２００内のさまざまな他のネットワーク装置またはサイト２００にデプロイされた別のイベントコーディネータに送信されてもよい。一態様によれば、図２のシステムは、センサに基づく情報をネットワーク装置およびモバイル装置２２４に通信可能なインテリジェントリモートセンサを含むことができる。環境コーディネータは、サーモスタット２１２、または、インテリジェントリモートセンサと通信することによってサイト２００内のネットワーク装置の動作条件の調整を始動することができる他の装置などのネットワーク装置にインストールすることができる。また、モバイル装置２２４は、インテリジェントリモートセンサと通信することによって、サイト２００内の特定の場所または領域内のネットワーク装置の動作条件を自動的に変更するように構成されたモバイルアプリケーションを含むことができる。
【００４２】
さらなる態様によれば、モバイル装置２２４が部屋内に存在しなくても、その部屋の環境を調整することができる。例えば、ユーザは、キッチン２０２でモバイル装置２２４を充電する可能性がある。しかしながら、ユーザは、寝室２０８に入るときに、ライトを点灯し、音楽を再生し、日よけを下ろしたいことがある。手動選択またはタッチすることによってセンサ２１８を始動し、所望の各ネットワーク装置を所望の動作条件に変更することができる。その後、センサ２１８は、信号を環境コーディネータに送信することによって、動作条件の変更を始動し、環境を作成することができる。したがって、環境を調整するために、モバイル装置２２４は、その場に存在しなくてもよい。
【００４３】
さらなる態様によれば、センサは、予めロードされたまたは作成された複数の使用環境を含むことができる。例えば、ユーザは、手動選択、スケジュールによる選択または人の存在による自動選択によって、複数のプログラムされた環境を室内に使用することができる。例えば、ユーザは、センサのタッチボタンに複数回タップすることによって、さまざまな組み合わせのネットワーク装置および動作条件を変更することができる。このようにして、ライト照度の増減、色の変更、日よけの閉め開けまたは部分的な閉め開け、食器洗い機のオンまたはオフ、室温の調節、テレビのオンまたはオフ、またはユーザ希望の他のさまざまな操作を行い、環境を調整することができる。いくつかの態様によれば、これらの操作またはイベントを予めロードすることができ、ネットワーク装置がサイト２００に設置および接続されているため、ユーザは、アクセスすることができる。さらなる態様によれば、ユーザは、（明示的に示されていない）スケジューリングツールを用いて、ネットワーク装置の使用をスケジュールすることによって、環境を調整することができる。スケジューリングツールは、時刻、日、週などのスケジュールを作成し、これらのスケジュールは、インテリジェントリモートセンサによってアクセスされ、環境を調整することができる。したがって、環境のさまざまな組み合わせは、手動選択、スケジュールによる選択または人の存在による自動選択によってアクセスすることができる。
【００４４】
一態様によれば、自動環境調整は、モバイル装置２２４およびセンサによりデプロイされたBluetooth LEまたはiBeacon技術を用いて行うことができる。例えば、センサ２１６は、リビングルーム２０４にゾーンを作成するための特定の範囲を有するBluetooth LE信号を送信するように、設定されることができる。モバイル装置２２４を所持するユーザがこのゾーンまたはリビングルーム２０４に入ると、モバイル装置２２４は、センサ情報を読み取ることができ、ネットワーク装置のための環境を自動的に調整することができる。同様に、モバイル装置２２４がルーム２０４から離れると、Bluetooth LEまたはiBeacon信号が失われ、リビングルーム２０４が別の環境に調整される。したがって、ルームごとにまたはゾーンごとに環境を自動的に作成することができる。一態様によれば、Bluetooth LEまたはiBeacon信号がセンサとモバイル装置との間に存在するときまたは失われたときに、センサ、モバイル装置またはネットワーク装置を用いて、環境を調整することができる。
【００４５】
一態様によれば、サイト２００において、複数のモバイル装置を使用することができる。例えば、モバイル装置内に自分の好みを有するように、各ユーザによって、図２のシステムを設定し、使用することができる。しかしながら、別の形態で、設定または環境を作成する場合、各々のモバイルは、サイト２００内の各部屋またはゾーンに対して同一の設定を含む。例えば、環境コーディネータは、独自の設定が使用されているか否かを確証し、ホーム内の各ユーザの活動を監視することができ、それに応じて環境を調整する。例えば、各々のモバイル装置の識別子および対応する設定またはユーザアカウントが調整されされ、ユーザがホーム内で移動するときに、それに応じて環境を変更する。別の形態で、複数のユーザに対して同一の設定を使用するように、モバイルアプリケーションからもしくはネットワーク装置または他の装置のディスプレイから、環境コーディネータを選択することができる。このように、環境コーディネータは、必要に応じて、モバイル装置とネットワーク装置との間に設定を共有することができる。
【００４６】
さらなる態様によれば、センサを用いて、範囲を拡張することができる。例えば、センサが短距離無線通信を使用する場合、１つ以上のセンサを使用することによって、信号を他のセンサに接続またはブリッジすることができる。例えば、サーモスタット２１２は、キッチン２０２の温度を管理するために、リモートセンサ２１４から検知データを受信したい場合がある。また、サーモスタット２１４は、センサへの主な無線通信手段として、Bluetooth LEを使用している可能性がある。しかしながら、センサ２１４は、範囲外に位置する可能性がある。この場合、センサ２２２は、エクステンダとして機能し、センサ２１４とサーモスタット２１２との間に検知データを通信することができる。必要または所望に応じて、センサ２１６などの他のセンサを追加するまたは接続することができる。したがって、メッシュ状のネットワークを作成し、サイト２００においてセンサ対応情報を通信することができる。
【００４７】
別の態様によれば、センサの電力消費の管理は、ユーザがサイト２００の外部または内部に位置することに基づいて、行うことができる。図２のセンサなどの無線装置の重要な属性は、センサのネットワークまたは通信周波数がサイト２００内のユーザの位置に応じて弱められることである。例えば、ユーザが部屋と部屋との間を移動する場合、送信または無線信号を弱めることによって、電池の寿命を延ばすできる。同様に、ユーザがセンサに近づくまたはセンサの範囲内に位置する場合、センサを喚起し、通信をアクティブにすることができる。他の形態で、部屋ごとにまたはゾーンごとにモバイル装置を検知することによって、通信周波数をアクティブまたは非アクティブにし、電池の寿命を保持することができる。
【００４８】
別の態様によれば、電池の消耗は、サイト内にユーザの有無に基づいて低減することができる。例えば、モバイル装置２２４がサイト２００から離れた場合、各センサまたは選択されたセンサ群の無線信号を弱めることができる。例えば、ユーザがWi-Fi喪失の距離またはジオフェンスなどを超えると、信号強度および周波数を弱めることができる。ユーザがホームに移動し始める場合またはホームに到着した場合、Wi-Fiの距離またはジオフェンスなどが検知され、所望に応じてセンサの信号強度および周波数を高くすることができる。このようにして、通常は６ヶ月しか持たない電池の寿命を２〜５年に延長し、電池の購入および消耗を大幅に減らすことができる。
【００４９】
図３は、本開示の一態様に従って、インテリジェントリモートセンサとして構成されたセンサを示す斜視図である。一般に３００で示されたセンサの底面図３０２、上面図３０８および側面図３２８が示されている。底面図３０２に含まれた底面３０４は、ＡＢＳ、ＰＣまたは他のプラスチック材料を含むことができる。また、底面３０４は、例えば、ゴムなどの摺動を抵抗するまたは摺動を弱める物質を含むことができる。さらに、センサ３００を壁または垂直面に吊り下げることを可能にするために、底面２０４は、穴または開口３０６を含むことができる。
【００５０】
一態様によれば、前面図０８に含まれた前面３１０は、照明およびセンサ３００を手動で作動するためのタッチセンサを含む。前面３１０は、メインタッチセンサ３２４、および照明することができるいくつかのインジケータまたは視覚的な照明表面を含む。例えば、前面３１０は、第１のＬＥＤ３１２、第２のＬＥＤ３１４、第３のＬＥＤ３１６、第４のＬＥＤ３２０、および第５のＬＥＤ３２２を含む。所望に応じて、さまざまな他のＬＥＤを追加するまたは減らすことができる。使用中に、タッチセンサ３２４の周りに延設したＬＥＤパイプまたは光パイプを用いて、タッチセンサ３２４を照明することもできる。
【００５１】
さらに別の態様によれば、側面図３２８は、センサ３００を示している。センサ３００は、使用しやすくするように、ウェッジ面または傾斜面３３０を有する。また、センサ３００は、電力をセンサ３００に供給する１つ以上の電池３３６にアクセスすることができるように、側面３３２に沿った空洞３３４を含む。
【００５２】
使用中、本明細書に記載のBluetoothまたは他の無線通信の使用を介して、センサ３００を自動で使用することができる。また、センサ３００を手動で使用することによって、さまざまなネットワーク装置の使用を有効化および無効化することができる。例えば、ユーザは、センサ３２４をタッチすることによって、手動でセンサ３００を使用することができる。センサ３００の使用は、ネットワーク装置の動作条件を変更するために、さまざまなセンサ対応情報にアクセスすることを含む。本開示の図２は、このような用途のいくつかの例を示している。また、各ＬＥＤは、ネットワーク装置の制御のために予め設計することができ、または手動でどのネットワーク装置を起動できることを示すように、さまざまな色を用いて点灯することができる。例えば、ユーザは、サーモスタットがセンサ３００によって検知された温度を使用してほしい可能性がある。ユーザは、タッチセンサ３２４を選択し、周囲の温度を監視するように、センサ３００によって読み取られた温度をサーモスタットに伝達することができる。電池の寿命を保持するために、温度は、エネルギー上効率的な時間間隔で、サーモスタットに定期的に送信されてもよい。
【００５３】
図４は、本開示の一態様に従ったインテリジェントリモートセンサ装置を示すブロック図である。一般にセンサ４００として示されたインテリジェントリモートセンサは、プロセッサ４０２、１つ以上のタッチセンサ／セレクタ４０４、１つ以上の電池などの電源４０６、ソーラ充電器、さまざまな異なる種類の充電式電池、およびメモリ４０８を含むことができる。メモリ４０８は、プロセッサ４０２の内部または外部に設けることができ、不揮発性メモリおよび場合によって追加の揮発性メモリを含むことができる。また、センサ４００は、温度および湿度モジュール４１０、本明細書に記載された１つ以上の種類の無線および有線通信装置を有する通信装置４１２、近接検知モジュール４１４、動き検知モジュール４１６、およびネットワーク検知モジュール４１８を含むことができる。また、センサ４００は、プロセッサ４０２に使用され、モジュールおよびファームウェアの更新を提供することができるように構成された更新可能な検知モジュール４２０を含む。いくつかの形態において、必要に応じて、センサ４００に追加のモジュールを追加および使用することができる。また、センサ４００は、センサ４００と他の装置またはセンサによって展開された外部通信装置との間に通信トンネルを確立することができる通信トンネリングモジュール４２８を含む。通信トンネリングモジュール４２８を用いて、センサ４００と他の通信装置またはモジュール（明確に図示せず）との間に情報の転送を可能にする通信トンネルを作成することができる。例えば、センサ４００は、Zigbee通信装置、Ｚ波通信装置、およびBluetooth通信装置を含むことができる。センサ４００は、Zigbee構成情報を受信し、通信トンネリングモジュールを用いて、Bluetoothネットワークを介して、Zigbee情報をセンサ２００とモバイル装置およびネットワーク装置などとの間に確立された通信トンネルを使用するモバイル装置に通信することができる。確立された同一のトンネルを使用して、Ｚ波情報を通信することができる。したがって、少なくとも通信トンネリングモジュール４２８を使用することにによって、センサ４００によって配置される必要のある処理能力およびメモリの量を大幅に低減することができ、さまざまな通信を他の形式に変換するのに必要なコスト、翻訳、および処理の削減につながる。
【００５４】
一態様によれば、センサ４００に、さまざまな種類のセンサに基づく情報を使用することができる。例えば、センサに基づく情報は、温度検知情報、湿度検知情報、可用なネットワーク検知情報、ネットワーク装置検知情報、接続されたネットワーク装置の検知情報、電源管理検知情報、近接検知情報、距離検知情報、動き検知情報、音検知情報、光検知情報、気流検知情報、顔認識検知情報、親指または指ＩＤ検知情報、またはさまざまな他の種類の検知情報およびそれらの組み合わせを含むことができる。
【００５５】
使用時、センサ４００を用いて、ネットワーク装置などのリモート装置によってデプロイされた環境コーディネータに情報を通信することができる。一態様によれば、通信装置４１２は、モバイル装置、および、上記の図２の例に示されたサイトに位置する環境のコーディネータと通信するように構成されることができる。センサ４００は、タッチセンサ４０４を利用して、ネットワーク装置の動作条件を有効化することができる。プロセッサ４０２は、選択された動作条件、選択されたネットワーク装置、ネットワーク装置およびセンサ４００などの動作モードまたは状態を決定するために、タッチセンサ／セレクタ４０４の選択処理を行うことができる。例えば、プロセッサ４０２は、環境内のネットワーク装置の設定変更を始動することができる。また、プロセッサ４０２は、モバイル装置が通信装置４１２に接続できるか否かを検知することができ、ネットワーク装置の動作条件を変更するように、モバイル装置に設定情報の通信を始動することができる。その後、モバイル装置またはネットワーク装置に配置されたイベントコーディネータを用いて、動作条件を変更すべきか否かを決定することができる。例えば、設定情報は、センサ４００からモバイル装置に通信することができ、モバイル装置は、動作条件を変更するように、選択されたネットワーク装置と直接通信することができる。他の形態において、モバイル装置は、選択された変更すべきネットワーク装置と通信することができるネットワーク装置に設定情報を送信することができる。センサ４００およびプロセッサ４０２によって生成されたメッセージは、その後、モバイルを介して、環境コーディネータを有するネットワーク装置に通信することができる。このように、さまざまな種類の通信をデプロイすることによって、設定を起動することができる。
【００５６】
さらなる態様によれば、メモリ４０８は、ＲＯＭ、ＰＲＯＭ、ＥＰＲＯＭ、ＥＥＰＲＯＭ、フラッシュ、または固体記憶媒体、光学ドライブ、ＨＤＤまたはそれらの任意の組み合わせを含むさまざまな他の種類の記憶媒体の任意の組み合わせを含むことができる。
【００５７】
さらなる態様によれば、メモリ４０８は、設定情報、センサに基づく情報、モジュール、ソフトウェア、ファームウェア、またはプロセッサ４０２によって使用することができるさまざまな他の種類の情報を記憶することができる。他の形態では、モジュールのすべてまたは一部は、プロセッサ４０２によってアクセスできる他の電子装置に記憶することができる。このように、構成要素または装置は、センサに基づく情報をプロセッサ４０２に直接提供することができ、または別の形態では、プロセッサ４０２は、メモリ４０８を用いて、ソフトウェアまたはファームウェアなどのモジュールを作動することができる。
【００５８】
一態様によれば、プロセッサ４０２は、ARMプロセッサを含むことができ、いくつかの形態ではFreescale（登録商標）i.MXプロセッサ、Kinetisプロセッサ、Intel Atom（登録商標）プロセッサ、または処理能力を持っている無線モジュールなどの他の構成要素に組み込むことができる小型プロセッサを含むことができる。さまざまな他の種類のプロセッサを使用することができる。プロセッサ４０２は、プロセッサ４０２によって実行することができるLinux（登録商標）などのオペレーティングシステムを含むことができ、一態様ではJava（登録商標）コードおよびアプリケーションを処理するためのJava（登録商標）環境を含むことができる。必要または所望に応じて、代替的にまたは追加的に、埋め込み型ソフトウェアを含む他のソフトウェア環境をサポートしてもよい。
【００５９】
他の態様において、照明およびディスプレイ４２４は、ＬＥＤディスプレイ、ＴＦＴディスプレイ、ＯＬＥＤディスプレイ、ＬＣＤディスプレイ、フレキシブル照明ディスプレイ、フレキシブルＬＥＤディスプレイ、薄膜ＬＥＤ、ピコプロジェクタ、またはそれらの任意の組み合わせを含むがこれらに限定されないさまざまな種類のディスプレイ技術を含むことができ、これらのディスプレイは、単色、多色、またはそれらの任意の組み合わせを有してもよい。また、タッチセンサ／セレクタ４０４は、抵抗性タッチセンサ、静電容量式タッチセンサ、動き検知センサ、赤外線センサ、熱センサ、またはユーザからの入力を検知することができるさまざまな他の種類のセンサを含むがこれらに限定されないさまざまな種類のタッチ技術およびその組み合わせを含むことができる。
【００６０】
さらなる態様によれば、通信装置４１２は、ハードウェア、ソフトウェアまたはファームウェアの任意の組み合わせを使用するように構成され、シリアルバスインターフェイス、ネットワークバスインターフェイス、パラレルバスインターフェイス、シリアルパラレルバスインターフェイス、ユニバーサルシリアルバスインターフェイス、業界標準バスインターフェイス、コントローラエリアネットワークバスインターフェイス、シリアル周辺インターフェイス、ＨＤＭＩ（登録商標）インターフェイス、ユニバーサル非同期受送信インターフェイス、制御バスインターフェイス、標準デジタル入出力インターフェイス、専用バスインターフェイスまたはそれらの任意の組み合わせの任意の組み合わせまたはその一部を含むことができる。また、通信モジュール４１８は、情報ネットワークインターフェイス、ネットワーク装置識別子、モジュールのプロファイル情報、無線エネルギーネットワークメッセージ情報、ネットワークプロトコル構成データ、またはそれらの任意の組み合わせを含むことができる。さらに、通信トンネリングモジュール４２８は、通信装置４１２の構成の一部または全部を含むことができ、一実施形態において、通信装置４１２の一部として一体化されてもよい。
【００６１】
一態様によれば、センサ４００は、電力線通信、有線通信、無線通信、Zigbeeに基づく通信、ITNSETEOMに基づく通信、Ｘ１０に基づく通信、Ｚ波に基づく通信、WiMAXに基づく通信、Bluetoothに基づく通信、Bluetooth LEに基づく通信、iBeacon通信、WIFIに基づく通信、802.11に基づく通信、802.15に基づく通信、802.16に基づく通信、専用通信、本明細書に記載の他の通信、またはそれらの任意の組み合わせを含むがこれらに限定されない１つ以上の通信装置４１２をモジュールまたはチップの形で含むように構成することができる。
【００６２】
一態様によれば、センサ４００は、メモリ容量および他の機能性を増加するために、センサ４００に追加される拡張スロット（明確に図示せず）、例えば、ネットワークインターフェイスカード（ＮＩＣ）、イーサネット（登録商標）ポート、１つ以上のＵＳＢインターフェイスまたはミニＵＳＢインターフェイス、ＳＤＩＯスロット、追加のデータまたはプラグインターフェイス、ZigbeeおよびＺ波スロットインターフェイス、またはそれらの任意の組み合わせを含むことができる。
【００６３】
さらなる態様によれば、センサ４００は、スマートエネルギープロトコルおよび１つ以上の通信装置を使用して通信するように構成されたさまざまな他のスマートエネルギープロトコルを含むことができる。一態様によれば、センサ４００は、本明細書中に参考として援用されるバージョン２．０のスマートエネルギープロファイル（ＳＥＰ）、またはバージョン２．０のＳＥＰのさまざまな更新プログラムを取り入れることができ、いくつかの形態では、以前のバージョンのＳＥＰは、バージョン２．０のＳＥＰまたはそれ以降バージョンのＳＥＰと共存することができる。例えば、センサ４００は、ＳＥＰ標準のさまざまなバージョンにフォーマットされおよび処理された情報を受信することができる。構築自動化、リモートコントロール、スマートエネルギー、ヘルスケア、ホーム自動化、通信サービス、ネットワーク装置、ゲートウェイ、ウェアラブルまたはそれらの任意の組み合わせを含むがこれらに限定されないZigbee規格に準じて、センサ３００を使用することができる。一態様によれば、さまざまな他の種類のプロファイルまたはプロトコルは、センサ４００に使用することができ、必要に応じて追加、削除および変更するように更新することができ、メモリ４０８内に格納されているスマートエネルギーに基づくプロファイル、Echonet Liteに基づくプロファイル、Echonetに基づくプロファイル、UPNPに基づくプロファイル、DLNA（登録商標）に基づくプロファイル、環境マネジメントに基づくプロファイル、顧客関与に基づくプロファイル、Airplayに基づくプロファイル、ユーザプロファイル、装置プロファイル、システムプロファイル、ソースプロファイル、顧客プロファイル、サイトプロファイル、カスタムまたは専用プロファイル、または任意の組み合わせを含むことができる。一態様によれば、プロファイルは、ネットワーク装置に特有であって、センサ４００に必要されるメモリ４０８の量を制限するプロトコル情報のみを含むことができる。
【００６４】
さらなる態様によれば、必要または所望に応じて、通信装置４１２は、ブリッジ、アクセスポイント、ルータ、ネットワーク、エンドポイント、メッシュネットワーク、スターネットワークまたはさまざまな他の種類のネットワークトポロジおよび構成を含むがこれらに限定されない１つ以上の異なる動作モードで使用することができる。
【００６５】
さらなる態様によれば、センサ４００は、センサ４００およびモジュールに使用される入力を提供することができる１つ以上の入力センサ４３０を含むことができる。例えば、入力センサ４３０は、温度センサ、湿度センサ、光センサ、動きセンサ、ＩＲセンサ、カメラまたは光学センサ、運動センサ、電流センサと電圧センサとインピーダンスセンサとを含むがこれらに限定されない電子センサを含む電力検知装置、マイクロホン、またはこれらの任意の組み合わせを含むことができる。他のセンサは、ネットワーク帯域センサ、無線信号センサ、データを通信するビットレートセンサ、オーディオセンサ、またはセンサ４００により使用できるさまざまな他の種類の入力センサの組み合わせを含むことができる。
【００６６】
さらなる態様によれば、センサ４００は、読み取り器、パッシブ装置またはタグ、またはそれらの組み合わせとして提供することができる近距離無線通信（ＮＦＣ）検知モジュール４２６を含むことができる。例えば、センサ４００は、ＮＦＣ検知モジュール４２６を用いて、センサ４００によってアクセスおよび管理することができる追加のネットワーク装置を追加または提供することができる。新たなネットワーク装置は、センサ４００に近接して配置することができる。その後、必要に応じて、追加のリソースからのプロビジョニング情報を使用することができる。例えば、プロビジョニング情報は、通信プロファイル情報、装置識別子、またはネットワーク装置に供給できるさまざまな他の種類の情報を含むことができる。
【００６７】
さらなる態様によれば、ＮＦＣ検知モジュール４２６は、例えば、モデル情報、ウェブサイト情報、モバイルアプリケーション、広告情報、価格情報、サポートされている通信、ウェブサイトレビューまたはセンサ４００のレビューを提供することができるレビューのリンク、またはそれらの任意の組み合わせに興味を有する第三者ＮＦＣリーダーによって、走査することができる。
【００６８】
他の態様によれば、センサ４００は、ネットワーク装置プロファイルなどの情報にアクセスすることができ、このネットワーク装置プロファイルを使用して、特定のネットワーク装置によって受信されるメッセージを出力することができる。例えば、ネットワーク装置データは、特定のネットワーク種類の無線エネルギーネットワークのネットワーク装置プロファイルを用いて、フォーマットすることができる。いくつかの形態では、ネットワーク装置プロファイルは、ネットワーク装置データの出力に十分な情報を含んでいない可能性がある。
【００６９】
よって、プロファイル変更子を提供することができる。このプロファイル変更子は、リソースのプロファイル変更データを含むことができる。センサ４００を用いて、動作条件、ホームプロファイル、ユーザプロファイル、装置プロファイル、ユーザスケジュール、近接検知、需要応答好み設定、省エネ好み設定、他の制御設定、またはそれらの任意の組み合わせのアクセス、作成および管理を行うことができる。必要または所望に応じて、他の設定および操作条件のアクセス、監視または管理を行うことができる。
【００７０】
他の形態において、センサ４００のプロビジョニングは、センサ４００を１つ以上の種類のネットワークにアクセスするように有効化することを含むことができる。例えば、センサ４００は、Ｚ波通信装置を含むことができる。したがって、ＮＦＣ検知モジュール４２６は、サイトにおいてネットワーク装置の使用を有効化するために、Ｚ波プロファイル情報および認証情報を含むことができる。他の形態では、センサ４００に通信機器の組み合わせを設けることができる。したがって、ＮＦＣ検知モジュール４２６またはＮＦＣ装置は、複数の通信装置の認証情報を含み、センサ４００の使用または管理を可能にするように情報を通信することができる。
【００７１】
さらなる態様によれば、通信装置４１２は、チャネルＩＤ、ＰＡＮ  ＩＤおよび装置ＩＤを使用することができ、ネットワーク装置の位置、ネットワーク装置のグループ、装置の種類、セキュリティ情報、ネットワークキー、ネットワーク装置とセンサ４００との間の通信を可能にするのに十分な情報を含む装置プロファイル情報を提供することができる。
【００７２】
注意すべきことは、一般的な説明または実施例において上述した動作がすべて必要でなくてもよく、特定の動作の一部が必要でなくてもよく、記載された動作に加えて１つ以上のさらなる動作を行ってもよいことである。さらに、動作の列挙順が、必ずしも動作の実行順と一致しなくてもよい。
【００７３】
明細書および本明細書に記載の実施形態の例示は、さまざまな実施形態の構成に対する一般的な理解を提供することを意図している。明細書および例示は、本明細書に記載された構成または方法を使用する装置およびシステムのすべての要素および特徴を網羅的かつ包括的に記載するように意図していない。本開示を参照した上で、他の多くの実施形態は、当業者にとって明らかであろう。本開示の範囲から逸脱することなく、他の実施形態、例えば、構造的置換、論理的置換または別の変更は、本開示に行うことができ、本開示から得ることができる。したがって、本開示は、限定的なものではなく、例示的ものとして見なされるべきである。
【００７４】
明瞭性のために、別々の実施形態において記載された特定の特徴は、組み合わせで単一の実施形態に提供されてもよい。その逆、簡潔性のために、単一の実施形態に記載されたさまざまな特徴は、別々にまたは任意の組合せで提供されてもよい。さらに、範囲内に記載された値を言及する場合、その範囲内の各々の値およびすべての値を含む。
【００７５】
利益、他の利点、および課題の解決策は、特定の実施形態に従って、上記で記載されている。しかしながら、任意の利益、利点、または課題の解決策を引き起こすまたはより顕著にさせ得る利益、利点、課題の解決策、および任意の特徴は、任意の請求項またはすべての請求項の必要且つ重要な特徴、または不可欠な特徴として解釈されるべきではない。
【００７６】
上記に開示された主題は、例示的であり、限定的ではないと考えられるべきであり、添付の特許請求の範囲は、本発明の範囲内に含まれる任意およびすべての修正、改良、および他の実施形態を網羅することを意図している。したがって、法律に許容される最大範囲まで、本発明の範囲は、以下の特許請求の範囲およびその均等物の最も広い許容可能な解釈によって決定されるべきであり、前述の詳細な説明によって制限または限定されるものではない。
【００７７】
明細書または特許請求の範囲を含む本願に使用された用語は、「手段」の使用などのミーンズプラスファンクション形式で明示的に表現していない場合、発明者の意図は、これらの用語が米国特許法第１１２第６項の規定に適用されないことである。
【００７８】
上記でごく少数の例示的な実施形態を詳細に説明したが、当業者であれば、本開示の実施形態の新規な教示および利点から実質的に逸脱することなく、例示的な実施形態において多くの変形を実施可能であることを容易に理解するであろう。従って、すべての変形は、添付の特許請求の範囲によって規定される本開示の実施形態の範囲内に含まれることを意図している。特許請求の範囲において、ミーンズプラスファンクション文言は、本明細書に記載された機能を実行する構造物、構造的均等物および同等の構造物を網羅することを意図している。
【図１】
0006556734.tif 000002
【図２】
0006556734.tif 000003
【図３】
0006556734.tif 000004
【図４】
0006556734.tif 000005